(57)【特許請求の範囲】
【請求項１】
握り部から先方へ延びた本体ベース部材と、前記本体ベース部材に回動可能に配置され相互挟持動作にて魚の口部を挟持する挟持部を先端に形成した一対の挟持部材と、前進操作可能に前記本体ベース部材に配置され前進操作にて前記挟持部相互の開度が大きくなるように前記一対の挟持部材を作動する作動部材と、前記挟持部相互が閉じるように前記作動部材を後退位置に付勢するバネ部材と、前記作動部材を前方へ押す押圧操作部とを備え、
前記作動部材は、前記押圧操作部にて前進し前記バネ部材にて後退するよう直線的に前進後退運動をする直線作動部材がそれぞれ一対の回動作動部材を介して前記一対の挟持部材に連結され、前記直線作動部材の前進後退運動に応じて前記一対の挟持部相互を開く動作と閉じる動作を行なうように前記一対の挟持部材が回動する構成であり、
前記一対の挟持部相互が魚の口を掴んだ開度状態において、前記一対の挟持部相互を開く方向の作用が働いた際、前記一対の挟持部と前記一対の回動作動部材の押し合い動作によって前記直線作動部材の後退が阻止され、前記一対の挟持部相互が魚の口を掴んだ開度状態を維持することを特徴とする魚掴み器。
【請求項２】
握り部から先方へ延びた並行配置の本体ベース部材と、前記並行配置の本体ベース部材間に回動可能に軸支され相互挟持動作にて魚の口部を挟持する挟持部を先端に形成した一対をなす第１及び第２の挟持部材と、前記並行配置の本体ベース部材間に前後移動可能に配置され後退にて前記挟持部相互が閉じ前進に伴って前記挟持部相互の開度が大きくなるようにそれぞれ前記第１及び第２の挟持部材の後部に連結された作動部材と、前記作動部材を後退位置に付勢するバネ部材と、前記作動部材を前方へ押す押圧操作部とを備え、
前記作動部材は、前記押圧操作部にて前進し前記バネ部材にて後退するよう直線的に前進後退運動をする直線作動部材と、後部が前記直線作動部材の前部に回動可能に連結された第１及び第２の回動作動部材を備え、前記第１の回動作動部材は、前記一方の本体ベース部材に斜め下方に形成した第１ガイド部に沿って移動する第１ガイドピンを前部に備えると共に、前記第１の挟持部材の後部に形成したガイド孔に沿って移動する第２ガイドピンを中間部に備え、前記第２の回動作動部材は、前記他方の本体ベース部材に斜め上方に形成した第２ガイド部に沿って移動する第１ガイドピンを前部に備えると共に、前記第２の挟持部材の後部に形成したガイド孔に沿って移動する第２ガイドピンを中間部に備え、
前記バネ部材の付勢によって前記直線作動部材が後退位置にあるとき、前記第１及び第２の回動作動部材の各第１ガイドピンは、対応する第１ガイド部及び第２ガイド部の初期位置となると共に、各第２ガイドピンが前記各ガイド孔の後部に位置して前記挟持部相互が閉じた状態を保持し、
前記バネ部材の付勢に抗した前記押圧操作部の前方押圧操作による前記直線作動部材の前進に伴って各第１ガイドピンは対応する前記第１ガイド部及び第２ガイド部を前進すると共に各第２ガイドピンが前記各ガイド孔を前進することにより前記第１及び第２の回動作動部材が前進し、前記第１及び第２挟持部材の挟持部相互の開度が大きくなり、
前記一対の挟持部相互が魚の口を掴んだ開度状態において、前記一対の挟持部相互を開く方向の作用が働いた際、前記第２ガイドピンが対応する前記ガイド孔の側壁によって押されると共に前記第１ガイドピンが前記第１ガイド部に押圧されると同時に、前記第２ガイドピンが対応する前記ガイド孔の側壁によって押されると共に前記第１ガイドピンが前記第１ガイド部に押圧される関係によって、前記直線作動部材の後退が阻止され、前記一対の挟持部相互が魚の口を掴んだ開度状態を維持することを特徴とする魚掴み器。
【発明の詳細な説明】
【技術分野】
【０００１】
本発明は、川、湖、海等で釣り上げた魚の口を掴む魚掴み器に関する。
【背景技術】
【０００２】
従来、川、湖、海等で釣り上げた魚の口を掴む魚掴み器は公知であり、この魚掴み器は、釣り竿で釣り上げている状態の魚の口を目掛けて先端の一対の挟持部を近づけ、一対の挟持部の間に魚の顎（又は唇ともいう）の一部、主として下顎が入り込んだ状態で、速やかに挟持部の間隔を狭めることによって、この一対の挟持部によって魚を掴むようにするものであり、この一連の動作を片手操作によって行なうものである。（特許文献１及び特許文献２参照）。
【０００３】
この特許文献１の魚掴み器は、先端の一対の挟持部が、長い本体の先端部に設けた固定歯と、長い本体に揺動自在に支持された可動歯にて構成され、指掛け部に指を掛けて引き上げることにより固定歯に対して可動歯を開き、この固定歯と可動歯の一方を魚の口に入れた状態で指掛け部を離せば、固定歯と可動歯とによって魚の顎（又は唇ともいう）の一部、主として下顎を掴むものである。
【０００４】
一方、特許文献２の魚掴み器は、先端の一対の挟持部が、管状体の先端部に回動自在に支持された一対のＳ字状挟持体にて構成され、指掛け部に指を掛けて引き上げることにより両挟持体を開き、この両挟持体の一方を魚の口に入れた状態で指掛け部を離せば、両挟持体によって魚の顎（又は唇ともいう）の一部、主として下顎を掴むものである。
【先行技術文献】
【特許文献】
【０００５】
【特許文献１】特許第４１５８９９０号公報
【特許文献２】米国特許第５１１９５８５号公報
【発明の概要】
【発明が解決しようとする課題】
【０００６】
この特許文献１及び特許文献２の魚掴み器とも、先端の一対の挟持部の間隔を開く操作が、指掛け部に指を掛けて引き上げることにより一対の挟持体が開くものであるため、この一対の挟持部を釣り上げた魚の口を目掛けて近づける方向（前進と称することとする）に対して、先端の一対の挟持部の間隔を開くために指掛け部に指を掛けて引き上げる方向（後退と称することとする）が、逆方向である。
【０００７】
釣り竿で釣り上げている状態の魚の口を目掛けて釣り上げた魚を速やかに掴むために、通常、先端の一対の挟持部の間隔を開きつつ、先端の挟持部を釣り上げた魚の口目掛けて近づける操作を行なう場合、この特許文献１及び特許文献２の魚掴み器とも、先端の挟持部を釣り上げた魚の口目掛けて近づける前進操作に対して、先端の挟持部を開く操作が逆方向操作となり、魚の口目掛けて近づける前進操作が、先端の挟持部を開く逆方向操作によって阻止されて、この前進操作が途中で一時的に止まる状態となる。このため、この前進操作が２段階の状態となり、その分、挟持部の一方を魚の口へ挿入するまでの時間が長くなり、魚の掴み操作が遅くなり、釣り上げた魚が逃げる事態が生じ易くなる欠点を持つ。
【０００８】
本発明はこのような点に鑑み、釣り上げた魚の口に目掛けて先端の挟持部を近づける前進操作と、先端の挟持部を開く操作方向が、同じ前進方向の操作となるように構成することにより、上記のような欠点を解決して、先端の挟持部を釣り上げた魚の口に目掛けて近づけ、タイミングよく先端の挟持部を開き、速やかに魚の口部、即ち顎（又は唇ともいう）の一部、主として下顎を掴むことができる魚掴み器を提供するものである。
【０００９】
更に、本発明は、釣り上げた魚の口に目掛けて先端の挟持部を近づける前進操作と、先端の挟持部を開く操作方向が、同じ前進方向の操作となる構成であって、且つ、先端の挟持部相互が魚の口を掴んだ状態において、魚が暴れても挟持部相互がそれ以上開かないようにし、挟持部相互によって魚の口を掴んだ状態が維持される構成の魚掴み器を提供するものである。
【課題を解決するための手段】
【００１０】
第１発明の魚掴み器は、握り部から先方へ延びた本体ベース部材と、前記本体ベース部材に回動可能に配置され相互挟持動作にて魚の口部を挟持する挟持部を先端に形成した一対の挟持部材と、前進操作可能に前記本体ベース部材に配置され前進操作にて前記挟持部相互の開度が大きくなるように前記一対の挟持部材を作動する作動部材と、前記挟持部相互が閉じるように前記作動部材を後退位置に付勢するバネ部材と、前記作動部材を前方へ押す押圧操作部とを備え、
前記作動部材は、前記押圧操作部にて前進し前記バネ部材にて後退するよう直線的に前進後退運動をする直線作動部材の動作がそれぞれ一対の回動作動部材を介して前記一対の挟持部材に伝達され、前記直線作動部材の前進後退運動に応じて前記一対の挟持部相互を開く動作と閉じる動作を行なうように前記一対の挟持部材が回動する構成であり、
前記一対の挟持部相互が魚の口を掴んだ開度状態において、前記一対の挟持部相互を開く方向の作用が働いた際、前記一対の挟持部と前記一対の回動作動部材の押し合い動作によって前記直線作動部材の後退が阻止され、前記一対の挟持部相互が魚の口を掴んだ開度状態を維持することを特徴とする。
【００１１】
第２発明の魚掴み器は、握り部から先方へ延びた並行配置の本体ベース部材と、前記並行配置の本体ベース部材間に回動可能に軸支され相互挟持動作にて魚の口部を挟持する挟持部を先端に形成した一対をなす第１及び第２の挟持部材と、前記並行配置の本体ベース部材間に前後移動可能に配置され後退にて前記挟持部相互が閉じ前進に伴って前記挟持部相互の開度が大きくなるようにそれぞれ前記第１及び第２の挟持部材の後部に連結された作動部材と、前記作動部材を後退位置に付勢するバネ部材と、前記作動部材を前方へ押す押圧操作部とを備え、
前記作動部材は、前記押圧操作部にて前進し前記バネ部材にて後退するよう直線的に前進後退運動をする直線作動部材と、後部が前記直線作動部材の前部に回動可能に連結された第１及び第２の回動作動部材を備え、前記第１の回動作動部材は、前記一方の本体ベース部材に斜め下方に形成した第１ガイド部に沿って移動する第１ガイドピンを前部に備えると共に、前記第１の挟持部材の後部に形成したガイド孔に沿って移動する第２ガイドピンを中間部に備え、前記第２の回動作動部材は、前記他方の本体ベース部材に斜め上方に形成した第２ガイド部に沿って移動する第１ガイドピンを前部に備えると共に、前記第２の挟持部材の後部に形成したガイド孔に沿って移動する第２ガイドピンを中間部に備え、
前記バネ部材の付勢によって前記直線作動部材が後退位置にあるとき、前記第１及び第２の回動作動部材の各第１ガイドピンは、対応する第１ガイド部及び第２ガイド部の初期位置となると共に、各第２ガイドピンが前記各ガイド孔の後部に位置して前記挟持部相互が閉じた状態を保持し、
前記バネ部材の付勢に抗した前記押圧操作部の前方押圧操作による前記直線作動部材の前進に伴って各第１ガイドピンは対応する前記第１ガイド部及び第２ガイド部を前進すると共に各第２ガイドピンが前記各ガイド孔を前進することにより前記第１及び第２の回動作動部材が前進し、前記第１及び第２挟持部材の挟持部相互の開度が大きくなり、
前記一対の挟持部相互が魚の口を掴んだ開度状態において、前記一対の挟持部相互を開く方向の作用が働いた際、前記第２ガイドピンが対応する前記ガイド孔の側壁によって押されると共に前記第１ガイドピンが前記第１ガイド部に押圧されると同時に、前記第２ガイドピンが対応する前記ガイド孔の側壁によって押されると共に前記第１ガイドピンが前記第１ガイド部に押圧される関係によって、前記直線作動部材の後退が阻止され、前記一対の挟持部相互が魚の口を掴んだ開度状態を維持することを特徴とする。
【発明の効果】
【００１２】
第１発明の魚掴み器により、先端の挟持部を釣り上げた魚の口に近づける前進操作に対して、先端の挟持部を開く操作が逆方向となる従来のものに比して、本発明では、魚の口に目掛けて先端の挟持部を近づける前進操作と、先端の挟持部を開く操作方向が、同じ前進方向の操作となるため、先端の挟持部を釣り上げた魚の口に目掛けて近づけ、タイミングよく先端の挟持部を開き、速やかに魚の口部、即ち顎（又は唇ともいう）の一部、主として下顎を掴むことがスムースにできるものとなる。このため、従来のように、先端の挟持部を釣り上げた魚の口目掛けて近づける前進操作が、途中で一時的に止まる状態がなく、速やかに魚の口部を挟むことができるため、釣り上げた魚を逃がす事態が生じ難くなり、好ましい魚掴み器となる。
また、先端の挟持部相互が魚の口を掴んだ状態において、魚が暴れても挟持部相互がそれ以上開かないため、挟持部相互によって魚の口を掴んだ状態が維持され、挟持部相互によって暴れる魚を十分確保できるものとなる。
【００１３】
また、第２発明の魚掴み器は、構造上では、並行配置の本体ベース板間に、相互挟持動作にて魚の口部を挟持する挟持部を先端に形成した一対の挟持部材が回動可能に軸支され、後退方向へバネ付勢された直線作動部材が一対の回動作動部材を介して一対の挟持部材に連結され、直線作動部材の前進後退運動に応じて挟持部相互を開く動作と閉じる動作を行なうように一対の挟持部材を回動するため、直線作動部材を前進させる操作をスムースに行い易くなり、速やかに魚の口部を挟むことができる動作が得られ、釣り上げた魚を逃がす事態が生じ難くなり、操作のし易い魚掴み器となる。更に、第１の回動作動部材及び第２の回動作動部材は、それぞれの第１ガイドピン、第２ガイドピンに対応するガイド孔及びガイド部の関係によって直線作動部材の後退が阻止され、一対の挟持部相互が魚の口を掴んだ開度状態を維持するため、挟持部相互によって暴れる魚を十分確保できるものとなる。
【図面の簡単な説明】
【００１４】
【図１】本発明に係る魚掴み器の外観図である。
【図２】本発明に係る魚掴み器の挟持部が閉じた初期状態を示す説明図である。
【図３】図２における第１の挟持部及びそれに係る作動部材の関係を示す説明図である。
【図４】図２における第２の挟持部及びそれに係る作動部材の関係を示す説明図である。
【図５】本発明に係る魚掴み器の挟持部が若干開いた中間状態を示す説明図である。
【図６】図５における第１の挟持部及びそれに係る作動部材の関係を示す説明図である。
【図７】図５における第２の挟持部及びそれに係る作動部材の関係を示す説明図である。
【図８】本発明に係る魚掴み器の挟持部が最大に開いた最終状態を示す説明図である。
【図９】図８における第１の挟持部及びそれに係る作動部材の関係を示す説明図である。
【図１０】図８における第２の挟持部及びそれに係る作動部材の関係を示す説明図である。
【図１１】本発明に係る魚掴み器の各部分の分解図である。
【図１２】本発明に係る魚掴み器の挟持部が最大に開いた最終状態を示す外観図である。
【図１３】本発明に係る魚掴み器の開状態保持装置の部分の側面図である。
【図１４】本発明に係る魚掴み器の開状態保持装置にて挟持部を開状態に保持した状態を示す説明図である。
【図１５】本発明に係る魚掴み器の開状態保持装置の構成を示す縦断面図である。
【図１６】本発明に係る魚掴み器の開状態保持装置の構成を示す横断平面図である。
【発明を実施するための形態】
【００１５】
本発明の魚掴み器は、図示の実施形態に示すように、握り部から先方へ延びた本体ベース部材と、前記本体ベース部材に回動可能に配置され相互挟持動作にて魚の口部を挟持する挟持部を先端に形成した一対の挟持部材と、前進操作可能に前記本体ベース部材に配置され前進操作にて前記挟持部相互の開度が大きくなるように前記一対の挟持部材を作動する作動部材と、前記挟持部相互が閉じるように前記作動部材を後退位置に付勢するバネ部材と、前記作動部材を前方へ押す押圧操作部とを備え、
前記作動部材は、前記押圧操作部にて前進し前記バネ部材にて後退するよう直線的に前進後退運動をする直線作動部材がそれぞれ一対の回動作動部材を介して前記一対の挟持部材に連結され、前記直線作動部材の前進後退運動に応じて前記一対の挟持部相互を開く動作と閉じる動作を行なうように前記一対の挟持部材が回動する構成であり、
前記一対の挟持部相互が魚の口を掴んだ開度状態において、前記一対の挟持部相互を開く方向の作用が働いた際、前記一対の挟持部と前記一対の回動作動部材６Ｂ、６Ｃの押し合い動作によって前記直線作動部材６Ａの後退が阻止され、前記一対の挟持部５Ａ、５Ｂ相互が魚の口を掴んだ開度状態を維持する構成である。
【実施例１】
【００１６】
以下、本発明に係る魚掴み器の実施例を図に基づき説明する。図において、魚掴み器１は、釣り人が片手で握る握り部２と、この握り部２から先方（前方）へ延びた本体ベース部材３と、本体ベース部材３に回動可能に配置され相互挟持動作にて魚の口部を挟持する第１及び第２の挟持部５Ａ、５Ｂをそれぞれ先端に形成した一対の挟持部材（挟持アームともいう）４Ａ、４Ｂと、前進操作可能に本体ベース部材３に配置され後退にて挟持部５Ａ、５Ｂ相互が閉じ前進にて挟持部５Ａ、５Ｂ相互が開くように一対の挟持部材４Ａ、４Ｂを作動する作動部材６と、挟持部５Ａ、５Ｂ相互が閉じるように作動部材６を後退位置に保持するよう付勢するバネ部材７を備え、作動部材６は前方へ押す押圧操作部２０を備えている。片方の手で握り部２を握った状態で、その手の親指で押圧操作部２０をバネ部材７のバネ力に抗して前進操作することに伴って、挟持部５Ａ、５Ｂ相互の開度が大きくなる構成である。
【００１７】
この魚掴み器１の挟持部５Ａ、５Ｂは、魚の口部を挟持することによって魚を掴む部分であるが、実質的に掴むこととなる魚の部分は、魚の顎の部分であり、通常は魚の下顎部を挟持部５Ａ、５Ｂによって挟持することにより、魚を安定して掴むことができる。
【００１８】
この魚掴み器１の構成を更に具体的に説明する。魚掴み器１は、通常の操作として、釣り竿で吊り上げられて釣り糸にぶら下がった魚の下顎目掛けて挟持部５Ａ、５Ｂを近づける操作を行なう場合、挟持部５Ａ、５Ｂが上下位置関係においてその操作が行なわれる。このため、挟持部５Ａ、５Ｂが上下位置関係になる状態を基準として、以下、魚掴み器１の各部の配置関係を具体的に説明することとする。なお、図２、図３、図５、図６、図８、図９は、各部の動作を認識し易くするために、本体ベース部材３Ａを透視した状態で図示している。
【００１９】
実施例では、本体ベース部材３は、握り部２から先方（前方）へ向けて所定の間隔Ｔを保った状態で左右並行配置の本体ベース部材３Ａ、３Ｂにて構成され、左側の第１本体ベース部材３Ａと右側の第２本体ベース部材３Ｂの対向面（内側面）はそれぞれ平面状をなし、第１本体ベース部材３Ａと右側の第２本体ベース部材３Ｂは、所定間隔Ｔを保って略平行配置である。また、上下一対の第１の挟持部材４Ａと第２の挟持部材４Ｂは、本体ベース部材３Ａ、３Ｂ間に同軸にて回動可能に軸支されるために、本体ベース部材３Ａ、３Ｂに亘る横方向軸８に回動可能に支持されている。軸８の部分は、図８に拡大で示すように、軸８の大径部にワッシャ部材ＷＳを挟んで挟持部材４Ａ、４Ｂが回動可能に支持された状態であり、軸８の大径部にて本体ベース部材３Ａ、３Ｂが所定の間隔Ｔに保持され、本体ベース部材３Ａ、３Ｂを貫通した軸８の小径部８Ｓにネジ８Ｎが螺合することによって、この部分が組み立てられている。本体ベース部材３Ａ、３Ｂは平板状であるが、これに限定されず、外面は弧状、多角形状等にて外観デザインを向上させてもよい。
【００２０】
また、挟持部材４Ａ、４Ｂに連結された作動部材６は、本体ベース部材３Ａ、３Ｂ間に配置され、手動操作に伴って直線的に前進後退運動をする直線作動部材６Ａと、後部が直線作動部材６Ａの前部に回動可能に連結された上下一対の第１及び第２の回動作動部材６Ｂ、６Ｃにて構成されている。この直線作動部材６Ａは、本体ベース部材３Ａ、３Ｂの対向面に前後方向に直線状に形成した直線状ガイド溝９に案内されて前後方向に動くように、直線作動部材６Ａの左右両側に横方向に突出した前後配置のガイドピン１０が直線状ガイド溝９に前後移動可能に嵌合している。直線状ガイド溝９は、本体ベース部材３Ａ、３Ｂの一方に形成してもよいが、実施例では本体ベース部材３Ａ、３Ｂの両方に対向位置に形成している。バネ部材７は、直線作動部材６Ａが後退位置に保持されるように、本体ベース部材３Ａ、３Ｂ間に取り付けられている。
【００２１】
また、下側の第１の回動作動部材６Ｂは、後部が直線作動部材６Ａの前部に軸１１Ａにて回動可能に連結され、上側の第２の回動作動部材６Ｃは、後部が直線作動部材６Ａの前部に軸１１Ｂにて回動可能に連結されている。第１の回動作動部材６Ｂは、本体ベース部材３Ａ、３Ｂのうちの一方または両方（実施例では左側の本体ベース部材３Ａ）に斜め下方溝にて形成した第１ガイド部１２Ａに沿って移動する第１ガイドピン１３Ａを前部に備えると共に、第１の挟持部材４Ａの後部に長孔にて形成したガイド孔１４Ａに沿って移動する第２ガイドピン１５Ａを中間部に備えている。また、第２の回動作動部材６Ｃは、本体ベース部材３Ａ、３Ｂのうちの一方または両方（実施例では右側の本体ベース部材３Ｂ）に斜め上方溝にて形成した第２ガイド部１２Ｂに沿って移動する第１ガイドピン１３Ｂを前部に備えると共に、第２の挟持部材４Ｂの後部に長孔にて形成したガイド孔１４Ｂに沿って移動する第２ガイドピン１５Ｂを中間部に備えている。
【００２２】
直線作動部材６Ａの後部には、握り部２に近接して本体ベース部材３Ａ、３Ｂ間から上方へ突出した押圧操作部（プッシュレバーともいう）２０を備え、片方の手で握り部２を握った状態で、その手の親指で押圧操作部２０をバネ部材７のバネ力に抗して前方へ押す前進操作に伴って、挟持部５Ａ、５Ｂ相互の開度が大きくなる。このようにバネ部材７のバネ力に抗して親指で押圧操作部２０を前進操作することとなるが、その場合、下部に固定指掛け部（トリガともいう）２１を備えれば、その前進操作を更にし易くすることができる。具体的には、押圧操作部２０に対応して本体ベース部材３Ａ、３Ｂのうちの一方または両方に固定された固定指掛け部（トリガともいう）２１を備える構成とする。図示の実施例では、固定指掛け部２１は、それぞれ並行配置の本体ベース部材３Ａ、３Ｂの間に取り付け部２１Ａを挿入した状態で、下部に設けた各結合孔２４を利用してネジ２９にて固定した構成である。固定指掛け部２１の取り付け部２１Ａは、前記所定の間隔Ｔと同じ厚さに形成されているため、取り付け部２１Ａが本体ベース部材３Ａ、３Ｂ間に挿入された状態で、ネジ２９による固定指掛け部２１の取り付けによって、本体ベース部材３Ａ、３Ｂが所定の間隔Ｔを保つこととなる。
【００２３】
押圧操作部２０は、直線作動部材６Ａの一部分であり、実施例では、押圧操作部２０を直線作動部材６Ａに取り付けた構成としている。押圧操作のし易さを考慮して、押圧操作部２０の上端には、親指で押し易い形状に形成した合成樹脂製の押圧部２０Ｐを備えており、押圧操作部２０の取り付け基部２０Ａと直線作動部材６Ａとは、この両者に形成した結合孔２３を利用してネジ又は鳩目等にて固定した構成である。この場合、取り付け基部２０Ａの上下幅と直線作動部材６Ａの上下幅が同一に形成されており、図１５に示すように、取り付け基部２０Ａは、直線作動部材６Ａを挟む構成でもって、結合孔２３にてネジ又は鳩目等にて固定している。なお、押圧操作部２０は、直線作動部材６Ａと一体に形成したものであっても差し支えない。
【００２４】
また、バネ部材７は、円筒形状に巻回されたコイルスプリングであり、コイルスプリング７の後端が押圧操作部２０の前部の保持部２７にて保持され、コイルスプリング７の前端は、本体ベース部材３Ａ、３Ｂに対向位置に形成した窪み２６に保持されたスプリングホルダ２２にて保持されており、直線作動部材６Ａを後退位置に付勢している。このようにスプリングホルダ２２が本体ベース部材３Ａ、３Ｂ間に保持された状態で、本体ベース部材３Ａ、３Ｂが所定の間隔Ｔを保つように、スプリングホルダ２２の厚さが設定されている。この状態は、図８に拡大図で示している。
【００２５】
上記のように、本体ベース部材３Ａ、３Ｂは、所定の間隔Ｔを保つように組み合わされている。すなわち、本体ベース部材３Ａ、３Ｂの前部では、上記のように軸８の大径部にて本体ベース部材３Ａ、３Ｂが所定の間隔Ｔに保持され、また、本体ベース部材３Ａ、３Ｂの後部は、上記のように結合孔２４にて取り付ける固定指掛け部２１の厚さと、スプリングホルダ２２の厚さによって、所定の間隔Ｔを保っている。尚、握り部２を取り付ける結合孔２５の部分（本体ベース部材３Ａ、３Ｂの後端に形成した握り部２の取り付け部分）でも、本体ベース部材３Ａ、３Ｂが所定の間隔Ｔに保持されるために、握り部２の一部分に所定の間隔Ｔに相当する厚さ部分２Ａが形成されており、図１６に示すように、この厚さ部分２Ａが本体ベース部材３Ａ、３Ｂ間に進入した状態で、本体ベース部材３Ａ、３Ｂの結合孔２５を利用してネジ２８にて固定する構成である。なお、握り部２の周囲は、ネジ２８を覆うように装飾表皮２Ｈで覆われている。
【００２６】
上記の構成において魚を掴む操作について説明する。押圧操作部２０を前進操作する前の初期状態は図２に示す。この状態において、直線作動部材６Ａは、バネ部材７にて握り部２の方向へ付勢され後退位置に保持されている。この後退位置は、図２に示すように挟持部５Ａ、５Ｂ相互が当接したときの位置、即ち、挟持部５Ａ、５Ｂ相互が閉じたときの位置である。
【００２７】
この状態は、図２に示すように、第１及び第２の回動作動部材６Ｂ、６Ｃは、直線作動部材６Ａによって後退位置へ引っ張られていて、第１の回動作動部材６Ｂの第１ガイドピン１３Ａは、対応する第１ガイド部１２Ａの初期位置へ後退し、且つ第２ガイドピン１５Ａがガイド孔１４Ａの初期位置へ後退している。また、第２の回動作動部材６Ｃの第１ガイドピン１３Ｂは、対応する第２ガイド部１２Ｂの初期位置へ後退し、且つ第２ガイドピン１５Ｂがガイド孔１４Ｂの初期位置へ後退している。この状態で挟持部５Ａ、５Ｂ相互が閉じた状態を保持している。
【００２８】
この状態において、片方の手で握り部２を握り、その手の人差し指をピストルの引き金を引くような形で固定指掛け部２１の前側に掛けた状態で、その手の親指を押圧部２０Ｐに当てて、押圧操作部２０をバネ部材７のバネ力に抗して前方へ押すよう前進操作する。この操作は、握り部２を握った手の人差し指にて固定指掛け部２１を手前に引く作用と、その手の親指で押圧部２０Ｐによって押圧操作部２０を前方へ押す作用とが同時に行われることとなり、バネ部材７のバネ力に抗して押圧操作部２０を前方へ押す操作が容易となる。
【００２９】
この押圧操作部２０の前進操作によって、ガイドピン１０が直線状ガイド溝９に案内されつつ直線作動部材６Ａが前進し、その前進に伴って、第１の回動作動部材６Ｂの第１ガイドピン１３Ａは、対応する第１ガイド部１２Ａに沿って初期位置から前進し、且つ第２ガイドピン１５Ａがガイド孔１４Ａに沿って初期位置から前進する動作が、軸１１Ａを中心とした第１の回動作動部材６Ｂの回動によって得られる。これと同時に、第２の回動作動部材６Ｃの第１ガイドピン１３Ｂは、対応する第２ガイド部１２Ｂに沿って初期位置から前進し、且つ第２ガイドピン１５Ｂがガイド孔１４Ｂに沿って初期位置から前進する動作が、軸１１Ｂを中心とした第２の回動作動部材６Ｃの回動によって得られる。この一連の動作によって、第１の回動作動部材６Ｂ及び第２の回動作動部材６Ｃが回動しつつ直線作動部材６Ａと共に前進し、第１及び第２の挟持部材４Ａ、４Ｂが軸８を中心として回動することにより、挟持部５Ａ、５Ｂ相互が徐々に開く。この途中の状態を図５に示す。この図５の状態から更に押圧操作部２０を前進操作することによって、図８に示すように、挟持部５Ａ、５Ｂ相互が最大に開く。
【００３０】
常時バネ部材７のバネ力によって挟持部５Ａ、５Ｂ相互が閉じるように、直線作動部材６Ａがバネ部材７にて握り部２の方向へ後退するように付勢されているため、図５のように挟持部５Ａ、５Ｂ相互が途中まで開いた状態、または図８のように挟持部５Ａ、５Ｂ相互が最大に開いた状態のいずれにおいても、その状態から押圧操作部２０を押していた親指を押圧部２０Ｐから離せば、バネ部材７のバネ力によって直線作動部材６Ａが後退し、その作用が第１の回動作動部材６Ｂを介して第１の挟持部材４Ａに伝達され、且つ、第２の回動作動部材６Ｃを介して第２の挟持部材４Ｂに伝達され、それによって、図２に示すように、挟持部５Ａ、５Ｂ相互が当接して挟持部５Ａ、５Ｂ相互が閉じた状態に復帰する。
【００３１】
このため、釣り竿で釣り上げている状態の魚の口を目掛けて挟持部５Ａ、５Ｂを近づけつつ、押圧操作部２０を前方へ押して素早く図８に示すように最大に開き、この開いた挟持部５Ａ、５Ｂのうちの一方を魚の口中に差し込んだ状態で、押圧操作部２０を押していた親指を押圧部２０Ｐから離せば、上記のように、バネ部材７のバネ力によって直線作動部材６Ａが後退し、その作用にて挟持部５Ａ、５Ｂ相互が閉じる方向へ作動するため、挟持部５Ａ、５Ｂ相互によって魚の口を挟持すること、通常は魚の下顎を挟持することができる。この状態で、釣り針を魚の口から外すことができる。
【００３２】
このように、後退方向へバネ部材７にて付勢された直線作動部材６Ａが、一対の回動作動部材６Ｂ、６Ｃを介して一対の挟持部材４Ａ、４Ｂに連結され、直線作動部材６Ａの前進後退運動に応じて挟持部５Ａ、５Ｂ相互を開く動作と閉じる動作を行なうように一対の挟持部材４Ａ、４Ｂを回動するため、直線作動部材６Ａを前進させる操作によって一対の挟持部材４Ａ、４Ｂを回動するための伝達がスムースになり、速やかに魚の口部を挟むことができる動作が得られ、釣り上げた魚を逃がす事態が生じ難くなり、操作のし易い魚掴み器となる。
【００３３】
上記のように、片方の手で握り部２を握った状態で、その手の親指で押圧操作部２０を前方へ押すことにより、魚の口を掴み易くなるまで挟持部５Ａ、５Ｂ相互を大きく開くことが必要であるが、押圧操作部２０を前方へ押す距離（長さ）は、この魚掴み器１の使用者の手の大きさによって多少の差異はあるが、多くの使用者に使い易くするためには、押圧操作部２０を前方へ押す距離（長さ）をある程度の範囲に設定することが好ましい。このため、押圧操作部２０を前方へ押す距離（長さ）を例えば２０ｍｍに設定した場合には、その範囲で図８に示すように挟持部５Ａ、５Ｂ相互が最大に開くことが要求される。この目的達成のために、挟持部５Ａ、５Ｂ相互が閉じた図２の状態から挟持部５Ａ、５Ｂ相互が若干開いた図５の状態までは、押圧操作部２０の前進距離に比例して、挟持部５Ａ、５Ｂ相互が徐々に開くようにし、図５のようにある程度開いた時点からは、急激に最大開度となるように構成している。即ち、押圧操作部２０が同一長さを進むときの挟持部５Ａ、５Ｂ相互の開く度合いが、最初は遅く途中から急激に速くなる２段階構成である。
【００３４】
このための具体的な構成として、図３、図４等に示すように、第１ガイド部１２Ａ及び第２ガイド部１２Ｂは、それぞれ前端部が互いに近づく方向へ屈曲した屈曲ガイド部１２Ａ１及び１２Ｂ１を形成している。また、ガイド孔１４Ａ及び１４Ｂも、それぞれ前端部が互いに近づく方向へ屈曲した屈曲ガイド部１４Ａ１及び１４Ｂ１を形成している。この構成によって、図５の状態から更に押圧操作部２０を前進操作することによって、第１の回動作動部材６Ｂの第１ガイドピン１３Ａは、対応する第１ガイド部１２Ａの屈曲ガイド部１２Ａ１の前端に当接し、且つ第２ガイドピン１５Ａがガイド孔１４Ａの屈曲ガイド部１４Ａ１に進入する。これと同時に、第２の回動作動部材６Ｃの第１ガイドピン１３Ｂは、対応する第２ガイド部１２Ｂの屈曲ガイド部１２Ｂ１の前端に当接し、且つ第２ガイドピン１５Ｂがガイド孔１４Ｂの屈曲ガイド部１４Ｂ１に進入する。この一連の動作によって、挟持部５Ａ、５Ｂ相互の開度が最大となる。この状態を図８〜図１０に示す。
【００３５】
上記のように、挟持部５Ａ、５Ｂ相互が開く度合いを２段階構成とすることによって、押圧操作部２０の前進距離が短くても、魚の口を掴み易くなるまで挟持部５Ａ、５Ｂ相互を大きく開くことが可能となる。また、魚の口を掴んだ状態では、挟持部５Ａ、５Ｂ相互が若干開いた状態（図５の状態よりも挟持部５Ａ、５Ｂ相互の開度が小さい状態）であるが、常時バネ部材７のバネ力によって挟持部５Ａ、５Ｂ相互が閉じる方向に付勢された状態である。この状態で魚が暴れて、挟持部５Ａ、５Ｂ相互が開く方向に引っ張られても、挟持部５Ａ、５Ｂ相互がそれ以上開かないようにしなければならない。図５を参照すれば、挟持部５Ａ、５Ｂ相互が魚の口を掴んだ状態では、第１ガイドピン１３Ａ、１３Ｂがそれぞれ対応する屈曲ガイド部１２Ａ１、１２Ｂ１に到達していない状態である。このため、魚が暴れて挟持部５Ａ、５Ｂ相互が開く方向に引っ張られたとき、その作用によって、第２ガイドピン１５Ａがガイド孔１４Ａの側壁によって下方へ押されるため、第１ガイドピン１３Ａが第１ガイド部１２Ａの下側側壁に押圧される。これと同時に、第２ガイドピン１５Ｂがガイド孔１４Ｂの側壁によって上方へ押されるため、第１ガイドピン１３Ｂが第１ガイド部１２Ｂの上側側壁に押圧される。このような動作によって直線作動部材６Ａが後退する動きが阻止され、挟持部５Ａ、５Ｂ相互によって魚の口を掴んだ状態が維持される。
【００３６】
図示の実施例では、挟持部材４Ａ、４Ｂの先端部の挟持部５Ａ、５Ｂは、挟持部材４Ａ、４Ｂの先端部に別部材を取り付けた構成としている。これは、図８に拡大で示すように、挟持部材４Ａ、４Ｂが軸８の部分で重なって保持されているため、先端部の挟持部５Ａ、５Ｂがその厚さ部分の全体で当接するように補正するためと、更に、挟持部５Ａ、５Ｂに十分な厚さを持たせるためである。挟持部５Ａ、５Ｂの厚さが薄い場合は、魚の口、具体的には下顎を挟持したとき、その下顎に挟持部５Ａ、５Ｂが食い込んで、下顎が破れる虞があるため、図２に拡大で示すように、それぞれ十分な厚さを持たせた挟持部５Ａ、５Ｂを構成する別部材を、挟持部材４Ａ、４Ｂにネジ又は鳩目３８にて取り付けている。なお、挟持部材４Ａ、４Ｂの先端部を十分な厚さの形状とし、図２に拡大で示すような相互に対等な当接が得られれば、挟持部５Ａ、５Ｂを挟持部材４Ａ、４Ｂと一体部品でもって構成することができる。
【００３７】
また、押圧操作部２０は、直線作動部材６Ａと押圧操作部２０に形成した結合孔２３を利用してネジ固定した構成であるが、直線作動部材６Ａと一体に押圧操作部２０を形成したものであっても差し支えない。また、ガイドピン１０は、実質的に直線作動部材６Ａから左右両側に水平方向に突出した形態であればよいため、直線作動部材６Ａのみから水平方向に突出した形態であってもよく、また、直線作動部材６Ａの一部をなす押圧操作部２０の取り付け基部２０Ａから左右両側に水平方向に突出した形態であってもよい。
【００３８】
図示の実施例では、第１の回動作動部材６Ｂと第２の回動作動部材６Ｃは、直線作動部材６Ａの先端部に上下対称位置に軸１１Ａ、１１Ｂにて回動可能に連結しているが、魚が暴れて挟持部５Ａ、５Ｂ相互が開く方向に引っ張られても挟持部５Ａ、５Ｂ相互がそれ以上開かないようにできれば、第１の回動作動部材６Ｂと第２の回動作動部材６Ｃは、直線作動部材６Ａの先端部に同軸にて回動可能に連結した構成でもよい。
【００３９】
上記実施例では、第１及び第２の挟持部材４Ａ、４Ｂは、本体ベース部材３Ａ、３Ｂ間に同じ軸８に軸支される構成であるが、上記のように挟持部５Ａ、５Ｂを開閉できるならば、これに限定されず、第１及び第２の挟持部材４Ａ、４Ｂは、本体ベース部材３Ａ、３Ｂ間において、それぞれ別個の軸に回動可能に支持される構成でもよい。
【００４０】
上記のように、閉じている挟持部５Ａ、５Ｂを釣り竿で釣り上げている状態の魚の口を目掛けて近づけつつ、押圧操作部２０を前方へ押して素早く図８に示すように最大に開き、この開いた挟持部５Ａ、５Ｂのうちの一方を魚の口中に差し込んだ状態で、押圧操作部２０を押していた親指を押圧部２０Ｐから離すことにより、バネ部材７のバネ力によって挟持部５Ａ、５Ｂ相互が閉じる方向へ作動し、魚の下顎を挟持することができる。しかし、釣り竿で釣り上げている状態の魚が暴れたときには、開いた挟持部５Ａ、５Ｂのうちの一方を魚の口中に差し込むことがなかなかできず、その時間中、親指にて押圧操作部２０を押し続けなければならない。このような場合に対処するために、挟持部５Ａ、５Ｂが図８に示すように大きく開いた状態（厳密に最大に開いた状態でなく最大に近い状態でもよいため、これを実質的に最大に開いた状態と表現する）に保持する開状態保持装置３０を設けている。
【００４１】
この開状態保持装置３０は、第１及び第２挟持部材４Ａ、４Ｂの挟持部５Ａ、５Ｂ相互が実質的に最大に開く位置へ直線作動部材６Ａが前進したとき、直線作動部材６Ａの後退を阻止する阻止位置へバネ３２のバネ力にて進出して、直線作動部材６がバネ部材７のバネ力によって後退することを阻止するストッパ３１を有する。このストッパ３１は、挟持部５Ａ、５Ｂ相互が実質的に最大に開く状態に至る前は、この阻止位置から退避した状態である。
【００４２】
この開状態保持装置３０の具体的な構成を図１３乃至図１６に基づき説明する。図１３乃至図１６において、ストッパ３１は、第１及び第２本体ベース部材３Ａ、３Ｂのそれぞれの対向面の下端部に形成した上下に長い収容凹部３３に左右両側が収容され、第１及び第２本体ベース部材３Ａ、３Ｂを貫通した上下に長いガイド溝３４に案内されるようにガイド部３５が左右に突出形成されている。コイルバネ３２は、下部が固定指掛け部２１内の収容部２１Ｂに収容され、上部がストッパ３１の収容部３１Ｂに収容され、常時、ストッパ３１を上方へ付勢している。ストッパ３１のガイド部３５の外側端には、それぞれ第１及び第２本体ベース部材３Ａ、３Ｂの外側面に沿って配置した阻止解除操作部３６がネジ３７によって取り付けられている。
【００４３】
この構成によって、ストッパ３１は、コイルバネ３２にて上方へ付勢され、第１及び第２本体ベース部材３Ａ、３Ｂ間において上下動可能に支持されており、挟持部５Ａ、５Ｂが図８に示すように実質的に最大に開く状態に至る前の状態では、図１３及び図１５に示すように、ストッパ３１の上面は直線作動部材６Ａの下面に当接した後退位置である。この状態で、押圧操作部２０を前方へ押して直線作動部材６Ａが前進する間は、ストッパ３１の上面と直線作動部材６Ａの下面はスライド接触状態である。
【００４４】
そして、更に直線作動部材６Ａが前進して、挟持部５Ａ、５Ｂが図８に示すように最大に開いた状態に至ると、直線作動部材６Ａによるストッパ３１の上面の押さえが開放され、ストッパ３１はコイルバネ３２によって直線作動部材６Ａの後面に対向する上方位置へ進出する。この時点で、押圧操作部２０を前方へ押す操作を止めれば、直線作動部材６Ａはバネ部材７のバネ力によって初期位置へ後退しようとするが、その後退はストッパ３１によって阻止される。このように、挟持部５Ａ、５Ｂが図８に示すように実質的に最大に開いた状態で、ストッパ３１は直線作動部材６Ａの後退を阻止する阻止位置へバネ３２のバネ力にて進出し、押圧操作部２０を前方へ押す操作を止めても、挟持部５Ａ、５Ｂが図８に示すように実質的に最大に開いた状態を保持する。
【００４５】
この状態で、挟持部５Ａ、５Ｂのうちの一方を魚の口中に差し込んだとき、親指等によって阻止解除操作部３６をバネ３２のバネ力に抗して下方へ押し、ストッパ３１を直線作動部材６Ａの後面との対向位置よりも下方へ移動して、前記阻止位置から退避させることにより、直線作動部材６Ａはバネ部材７のバネ力によって初期位置へ向けて後退する。この動作によって、瞬時に挟持部５Ａ、５Ｂが魚の口中、具体的には魚の下顎を挟持するように作動する。
【００４６】
上記の構成では、ストッパ３１による直線作動部材６Ａの後退阻止は、直線作動部材６Ａの後面がストッパ３１に当接して達成されるが、この構成に替えて、直線作動部材６Ａの下面の後部にストッパ３１が侵入する係止凹部を形成し、挟持部５Ａ、５Ｂが図８に示すように最大に開いた状態で、ストッパ３１がこの係止凹部に侵入する構成でもよい。
【００４７】
なお、開状態保持装置３０を使用する状態（作動する状態）と、使用しない状態（作動しない状態）とを、選択できる選択機構を設け、使用者がこの選択機構によって、開状態保持装置３０を作動可能状態とするか、作動しない状態にするかを選択できるようにすることもできる。なお、開状態保持装置３０をオプション機能とすることにより、魚掴み器１は、この機能を備えた特別機種と、この機能を備えない通常機種とに区分した品揃えができる。
【００４８】
なお、図２に示すように、直線作動部材６Ａが前進後退運動をする直線の延長線ＰＬに対して、握り部２の軸線ＮＬが角度αで交差するように、握り部２が固定指掛け部２１側へ変位した配置である。これによって、片方の手で握り部２を握ったとき、その手は角度αの分だけ上向きになるため、その手の人差し指を固定指掛け部２１に掛け、その手の親指で押圧操作部２０を前進操作する場合に、手首への負担が軽減され、操作がし易くなる。
【産業上の利用可能性】
【００４９】
本発明に係る魚掴み器１は、上記実施例に限定されず、種々の形態のものに適用できるものであり、本発明の技術範囲において種々の形態を包含するものである。
【符号の説明】
【００５０】
１・・・・・魚掴み器
２・・・・・握り部
３・・・・・本体ベース部材
３Ａ、３Ｂ・・・・並行配置の本体ベース部材
４Ａ、４Ｂ・・・・挟持部材
５Ａ、５Ｂ・・・・挟持部
６・・・・・・作動部材
６Ａ・・・・直線作動部材
６Ｂ・・・・第１の回動作動部材
６Ｃ・・・・第２の回動作動部材
７・・・・・バネ部材
８・・・・・軸
９・・・・・直線状ガイド溝
１０・・・・ガイドピン
１１Ａ、１１Ｂ・・・・軸
１２Ａ・・・・第１ガイド部
１２Ｂ・・・・第２ガイド部
１３Ａ・・・・第１ガイドピン
１３Ｂ・・・・第１ガイドピン
１４Ａ・・・・ガイド孔
１４Ｂ・・・・ガイド孔
１５Ａ・・・・第２ガイドピン
１５Ｂ・・・・第２ガイドピン
２０・・・・押圧操作部
２１・・・・固定指掛け部
３０・・・・開状態保持装置
３１・・・・ストッパ
３２・・・・バネ
３６・・・・阻止解除操作部
【図１】
0005487281.tif 000002
【図２】
0005487281.tif 000003
【図３】
0005487281.tif 000004
【図４】
0005487281.tif 000005
【図５】
0005487281.tif 000006
【図６】
0005487281.tif 000007
【図７】
0005487281.tif 000008
【図８】
0005487281.tif 000009
【図９】
0005487281.tif 000010
【図１０】
0005487281.tif 000011
【図１１】
0005487281.tif 000012
【図１２】
0005487281.tif 000013
【図１３】
0005487281.tif 000014
【図１４】
0005487281.tif 000015
【図１５】
0005487281.tif 000016
【図１６】
0005487281.tif 000017